(57)【要約】【課題】熱湯を注いで調理するカップラーメンやトレー焼きそばなどを収容する、発泡スチロール製などのカップ状又はトレー状の容器３０に被せて、周辺部２２を熱融着する円形状又は角を丸めた長方形状の蓋材２０であって、蓋材２０を中央付近まで剥がして外側に折曲げて、容器３０を途中まで開蓋した状態で熱湯を注ぐ時に、外側に折曲げた蓋材２０が元の形状に戻る恐れがないために、容器３０が閉蓋して熱湯が注ぎ難いなどの問題がないアルミレス蓋材を提供する。【解決手段】本発明は、少なくとも紙材料層５と樹脂フィルム層６とイージーピール層７とを積層して成る、つまみ２１を有する円形状又は角を丸めた長方形状の蓋材２０において、蓋材２０を構成する紙材料層５に、加熱発泡性を付与したアルミレス蓋材である。【選択図】図１
2005001704.tif 000002
【特許請求の範囲】
【請求項１】
少なくとも紙材料層５と樹脂フィルム層６とイージーピール層７とを積層して成る、つまみ２１を有する円形状又は角を丸めた長方形状の蓋材２０において、蓋材２０を構成する紙材料層５に加熱発泡性を付与したことを特徴とする蓋材。
【請求項２】
請求項１に記載の蓋材において、加熱発泡性を付与した紙材料層５の内面側に遮光顔料層４を設けたことを特徴とする蓋材。
【発明の詳細な説明】
【０００１】
【発明の属する技術分野】
本発明は、熱湯を注いで調理するカップラーメンやトレー焼きそばなどを収容する、発泡スチロール製などのカップ状又はトレー状の容器３０に被せて、周辺部２２を熱融着する円形状又は角を丸めた長方形状の蓋材２０であって、蓋材２０を中央付近まで剥がして熱湯を注ぐ時に、容器３０が閉蓋して熱湯が注ぎ難いなどの問題がない蓋材に関する。
【０００２】
【従来の技術】
従来から、熱湯を注いで調理するカップラーメンやトレー焼きそばなどを収容する、発泡スチロール製などのカップ状又はトレー状の容器３０に被せて、周辺部２２を熱融着する円形状又は角を丸めた長方形状の、例えば図３に示すような、適宜の紙材料層５と適宜の樹脂フィルム層６と７〜９μｍ程度のアルミニウム箔９と適宜のイージーピール層７とを、適宜の接着剤層８又は適宜の接着性樹脂層８を介するなどして積層して成る蓋材２０が、一般に広く用いられているものであって、蓋材２０を中央付近まで剥がして外側に折曲げて、容器３０を途中まで開蓋した状態で熱湯を注ぐ時に、この７〜９μｍ程度のアルミニウム箔９に、与えられた形状をそのまま保持する性質（  デットホールド性と言う  ）があるために、蓋材２０の紙材料層５と樹脂フィルム層６とイージーピール層７との、元の形状に戻ろうとする性質（  形状記憶性と言う  ）を抑えて、外側に折曲げた蓋材２０が元の形状に戻る恐れがないために、容器３０が閉蓋して熱湯が注ぎ難いなどの問題はなかった。
【０００３】
また従来から、熱湯を注いで調理するカップラーメンやトレー焼きそばなどを収容する、発泡スチロール製などのカップ状又はトレー状の容器３０に被せて、周辺部２２を熱融着する円形状又は角を丸めた長方形状の蓋材２０であって、廃棄時の処理処分や食品類の金属探知などが難しいとの理由で、前述した７〜９μｍ程度のアルミニウム箔９を積層していない蓋材が、強く望まれて用いられている。
【０００４】
すなわち、例えば図４に示すような、上質紙や片面アート紙などの、表面に美麗な印刷をした紙材料層５と、ポリエステルや延伸ナイロンやセラミック蒸着付のポリエステル、延伸ポリプロピレンなどの、強度や各種バリアー性などが優れた樹脂フィルム層６と、エチレンーメタアクリル酸共重合体（ＥＭＡＡ）やエチレンー酢酸ビニル共重合体（ＥＶＡ  ）やポリエチレンとポリブテンとのブレンド樹脂などの、密封性などが優れている上に、熱融着した後に容易に剥がすことができるイージーピール層７とを、ウレタン系などの接着剤層８又は低密度ポリエチレンなどの接着性樹脂層８を介して積層して成る、つまみ２１を有する円形状又は角を丸めた長方形状の蓋材である。
【０００５】
【発明が解決しようとする課題】
ところが従来の、図４に示す蓋材については、円形状又は角を丸めた長方形状の蓋材２０のつまみ２１に指を掛けて、やゝ強く引張るだけで、簡単にカップ状又はトレー状の容器３０を開蓋することができる、廃棄時の処理処分や食品類の金属探知などが容易な蓋材であるものの、蓋材２０を中央付近まで剥がして外側に折曲げて、容器３０を途中まで開蓋した状態で熱湯を注ぐ時に、蓋材２０の紙材料層５が、熱湯から発生する蒸気の影響を受けて元の形状に戻ろうとするために、また蓋材２０の樹脂フィルム層６とイージーピール層７とに、元の形状に戻ろうとする性質があるために、外側に折曲げた蓋材２０が元の形状に戻ることが多くて、容器３０が閉蓋して熱湯が注ぎ難いなどの問題があった。
【０００６】
そこで、本発明の目的は、熱湯を注いで調理するカップラーメンやトレー焼きそばなどを収容する、発泡スチロール製などのカップ状又はトレー状の容器３０に被せて、周辺部２２を熱融着する円形状又は角を丸めた長方形状の蓋材２０であって、蓋材２０を中央付近まで剥がして外側に折曲げて、容器３０を途中まで開蓋した状態で熱湯を注ぐ時に、外側に折曲げた蓋材２０が元の形状に戻る恐れがないために、容器３０が閉蓋して熱湯が注ぎ難いなどの問題がないアルミニウム箔を積層しない蓋材を提供することにある。
【０００７】
【課題を解決するための手段】
本発明の蓋材は、図１Ａ、Ｂに示すように、少なくとも紙材料層５と樹脂フィルム層６とイージーピール層７とを積層して成る、つまみ２１を有する円形状又は角を丸めた長方形状（  図１Ａでは円形状  ）の蓋材２０において、蓋材２０を構成する紙材料層５に、図１Ｃ、Ｄに示すように、加熱発泡性を付与したことを特徴とする蓋材である。
【０００８】
本願の発明者らは、蓋材２０の周辺部２２を熱融着する工程などで、後述する加熱発泡性を付与した紙材料層５を加熱して発泡させた時に、加熱発泡性を付与した紙材料層５が、厚さ方向に大きく膨張すると同時に、水平方向に僅かに収縮することを知見して、本願のアルミニウム箔を積層しない蓋材の発明に至ったものである。
【０００９】
すなわち、本発明の蓋材においては、少なくとも紙材料層５と樹脂フィルム層６とイージーピール層７とを積層して成る、前述した図４に示す蓋材と同様の、熱湯を注いで調理するカップラーメンやトレー焼きそばなどを収容する、発泡スチロール製などのカップ状又はトレー状の容器３０に被せて、周辺部２２を熱融着する、つまみ２１を有する円形状又は角を丸めた長方形状の蓋材２０において、蓋材２０を構成する紙材料層５に、後述する加熱発泡性を付与したことによって、蓋材２０の周辺部２２を熱融着する工程などで、この加熱発泡性を付与した紙材料層５を加熱して発泡させた時に、蓋材２０を構成する紙材料層５が、厚さ方向に大きく膨張すると同時に、水平方向に僅かに収縮するために、この蓋材２０に、紙材料層５側に凹カールする性質を付与することができるものであって、蓋材２０を中央付近まで剥がして外側に折曲げて、容器３０を途中まで開蓋した状態で熱湯を注ぐ時に、蓋材２０の紙材料層５が、熱湯から発生する蒸気の影響を受けて元の形状に戻ろうとしても、また蓋材２０の樹脂フィルム層６とイージーピール層７とに、元の形状に戻ろうとする性質があっても、この蓋材２０に、紙材料層５側に凹カールする性質を付与したことによって、外側に折曲げた蓋材２０が元の形状に戻る恐れがないために、容器３０が閉蓋して熱湯が注ぎ難いなどの問題がない蓋材を提供することができる。
【００１０】
しかも、本発明の蓋材においては、蓋材２０の周辺部２２を熱融着する工程などで、加熱発泡性を付与した紙材料層５を加熱して発泡させることによって、容器３０に周辺部２２を熱融着する前の蓋材２０は、紙材料層５側に凹カールする性質を付与していないために、また容器３０に周辺部２２を熱融着した後の、紙材料層５側に凹カールする性質を付与した蓋材２０は、容器３０に周辺部２２を強固に熱融着しているために、それぞれ紙材料層５側に凹カールする恐れがないものであって、後述する蓋材２０の周辺を切断して除去する工程などに支障がない、また容器３０に蓋材２０の周辺部２２を熱融着する工程などに支障がない、さらに蓋材２０を熱融着した後の容器３０の保管流通などに支障がない、それぞれの取扱いが容易な蓋材を提供することができる。
【００１１】
加えて、本発明の蓋材は、前述した加熱発泡性を付与した紙材料層５の内面側に、図１Ｃ、Ｄに示すように、遮光顔料層４を設けたことを特徴とする蓋材である。
【００１２】
本発明の蓋材においては、少なくとも紙材料層５と樹脂フィルム層６とイージーピール層７とを積層して成る、前述した図４に示す蓋材と同様の、つまみ２１を有する円形状又は角を丸めた長方形状の蓋材２０において、前述した加熱発泡性を付与した紙材料層５の内面側に、例えば白色インキと黒色インキとから成る遮光顔料層４を設けたことによって、前述した上質紙や片面アート紙などの、表面に美麗な印刷をした紙材料層５の遮光性を補って、熱湯を注いで調理するカップラーメンやトレー焼きそばなどの、油分などの紫外線による酸化変質を防止することができる、品質保存性が優れた蓋材を提供することができる。
【００１３】
【発明の実施の形態】
本発明の蓋材における、蓋材２０を構成する紙材料層５に、加熱発泡性を付与する方法については、蓋材２０の周辺部２２を２００℃程度で熱融着する工程などで、同時に加熱発泡性を付与した紙材料層５を加熱して発泡させることができる、通常の１５０℃程度で発泡する、例えば、アクリル樹脂を外殻（セル）として、ブタンガスを発泡薬剤を核とする熱発泡性マイクロカプセルａ、ａ、ａ、…であって、図１Ｃに示すように、上質紙や片面アート紙などの抄紙時に、この多数の熱発泡性マイクロカプセルａ、ａ、ａ、…を混抄した、厚さ方向に５０〜４００％程度膨張する１層構成の８０〜２００ｇ／ｍ２  の後発泡紙２を、蓋材２０を構成する紙材料層５として用いることができて、また図１Ｄに示すように、上質紙などの無サイズ紙に、この多数の熱発泡性マイクロカプセルａ、ａ、ａ、…を混抄又は含侵塗工した、厚さ方向に５０〜４００％程度膨張する３０〜１００ｇ／ｍ２  の後発泡紙２と、通常の５０〜１００ｇ／ｍ２  の上質紙５などとを、図示していない澱粉系の接着剤層を介して積層して、蓋材２０を構成する紙材料層５として用いることができる。
【００１４】
【実施例】
図１Ａ、Ｂは、本発明の実施例における、蓋材の平面図、断面説明図であって、図１Ｃ、Ｄは、蓋材２０を構成する紙材料層５の断面図である。
また図２Ａ、Ｂは、本発明の実施例における、蓋材を、容器３０に熱融着した状態と中央付近まで剥がした状態とを示す断面図である。
【００１５】
本実施例の蓋材は、紙材料層５と樹脂フィルム層６とイージーピール層７とを積層して成る、つまみ２１を有する円形状の蓋材２０において、蓋材２０を構成する紙材料層５に、図１Ｃ、Ｄに示す加熱発泡性を付与して、この加熱発泡性を付与した紙材料層５の内面側に、遮光顔料層４を設けた蓋材である。
【００１６】
すなわち、１２０ｇ／ｍ２  の片面アート紙の抄紙時に、通常の１５０℃程度で発泡する多数の熱発泡性マイクロカプセルａ、ａ、ａ、…を混抄した１層構成の、図１Ｃに示す後発泡紙２を、加熱発泡性を付与した紙材料層５として用意して、また通常の６０ｇ／ｍ２  の上質紙５の表面側に、５０ｇ／ｍ２  の上質無サイズ紙の抄紙後に、通常の１５０℃程度で発泡する多数の熱発泡性マイクロカプセルａ、ａ、ａ、…を含侵塗工した後発泡紙２を積層した、図１Ｄに示す加熱発泡性を付与した紙材料層５を用意した。
【００１７】
次に、それぞれの表面に美麗な印刷をして、それぞれの内面側に、各３ｇ（ｄｒｙ）／ｍ２  の白色インキと黒色インキとから成る遮光顔料層４を樹脂グラビア印刷方法で設けた、図１Ｃ、Ｄに示す加熱発泡性を付与した紙材料層５、５と、セラミック蒸着付の延伸ポリプロピレン１２μｍの、強度や各種バリアー性などが優れた樹脂フィルム層６と、エチレンーメタアクリル酸共重合体（ＥＭＡＡ）５０μｍの、密封性などが優れている上に、熱融着した後に容易に剥がすことができるイージーピール層７とを、図１Ｂに示すように、５ｇ／ｍ２  のウレタン系の接着剤層８と低密度ポリエチレン２０μｍの接着性樹脂層８とを介して、通常のドライラミネート方法と通常の熱押出しラミネート方法とで積層した後に、周辺を打抜刃で切断して除去して、図１Ａに示すつまみ２１を有する１００ｍｍφの円形状の蓋材２０を作製した。
【００１８】
続いて、図１Ａに示す１００ｍｍφの円形状の蓋材２０を、図２Ａに示すように、熱湯を注いで調理するカップラーメンを収容した、発泡スチロール製の外径が１００ｍｍφのカップ状の容器３０に被せて、この容器３０のフランジ３１に蓋材２０の周辺部２２を、２００℃で１．０秒間熱融着すると同時に、図１Ｃ、Ｄに示す加熱発泡性を付与した紙材料層５、５を、表面温度が１８０℃になるように加熱して発泡させたところ、それぞれの蓋材２０を構成する紙材料層５、５が、厚さ方向に１００％（２倍）程度膨張するとともに、水平方向に１％程度収縮することが認められて、この図１Ａに示す蓋材２０に、紙材料層５側に凹カールする性質を強く付与することができた。
【００１９】
本実施例の蓋材においては、１２０ｇ／ｍ２  の片面アート紙の抄紙時に、多数の熱発泡性マイクロカプセルａ、ａ、ａ、…を混抄した１層構成の、図１Ｃに示す加熱発泡性を付与した後発泡紙２（  紙材料層５  ）を用いたことによって、また通常の６０ｇ／ｍ２  の上質紙５の表面側に、５０ｇ／ｍ２  の上質無サイズ紙の抄紙後に、多数の熱発泡性マイクロカプセルａ、ａ、ａ、…を含侵塗工した後発泡紙２を積層した、図１Ｄに示す加熱発泡性を付与した紙材料層５を用いたことによって、図２Ｂに示すように、蓋材２０を中央付近まで剥がして外側に折曲げて、容器３０を途中まで開蓋した状態で熱湯を注ぐ時に、蓋材２０の紙材料層５が、熱湯から発生する蒸気の影響を受けて元の形状に戻ろうとしても、また蓋材２０の樹脂フィルム層６とイージーピール層７とに、元の形状に戻ろうとする性質があっても、この蓋材２０に、紙材料層５側に凹カールする性質を強く付与することができたために、外側に折曲げた蓋材２０が元の形状に戻る恐れがない、容器３０が閉蓋して熱湯が注ぎ難いなどの問題がない蓋材を得ることができた。
【００２０】
しかも、本実施例の蓋材においては、カップ状の容器３０のフランジ３１に蓋材２０の周辺部２２を熱融着すると同時に、図１Ｃ、Ｄに示す加熱発泡性を付与した紙材料層５、５を加熱して発泡させたことによって、容器３０に周辺部２２を熱融着する前の蓋材２０は、紙材料層５側に凹カールする性質を付与していないために、また容器３０に周辺部２２を熱融着した後の、紙材料層５側に凹カールする性質を強く付与した蓋材２０は、容器３０に周辺部２２を強固に熱融着しているために、それぞれ紙材料層５側に凹カールする恐れがない、取扱いが容易な蓋材を得ることができた。
【００２１】
加えて、本実施例の蓋材においては、図１Ｃ、Ｄに示す加熱発泡性を付与した紙材料層５、５の内面側に、各３ｇ（ｄｒｙ）／ｍ２  の白色インキと黒色インキとから成る遮光顔料層４を設けたことによって、前述した１２０ｇ／ｍ２  の片面アート紙や６０ｇ／ｍ２  の上質紙や５０ｇ／ｍ２  の上質無サイズ紙の遮光性を補って、熱湯を注いで調理するカップラーメンの、油分などの紫外線による酸化変質を防止することができる、品質保存性が優れた蓋材を得ることができた。
【００２２】
【発明の効果】
以上、実施例ほかに示すとおり、本発明の蓋材においては、熱湯を注いで調理するカップラーメンやトレー焼きそばなどを収容する、発泡スチロール製などのカップ状又はトレー状の容器３０に被せて、周辺部２２を熱融着する円形状又は角を丸めた長方形状の蓋材２０であって、蓋材２０を中央付近まで剥がして外側に折曲げて、容器３０を途中まで開蓋した状態で熱湯を注ぐ時に、この蓋材２０に、紙材料層５側に凹カールする性質を付与したことによって、外側に折曲げた蓋材２０が元の形状に戻る恐れがないために、容器３０が閉蓋して熱湯が注ぎ難いなどの問題がない蓋材を提供することができる。
【図面の簡単な説明】
【図１】図１Ａは本発明の実施例における蓋材の平面図、Ｂは断面説明図であって、図１Ｃ、Ｄは蓋材２０を構成する紙材料層５の断面図である。
【図２】図２Ａは本発明の実施例における蓋材を容器３０に熱融着した状態を示し、Ｂは中央付近まで剥がした状態を示す断面図である。
【図３】従来のアルミニウム箔９を積層した蓋材２０の断面説明図である。
【図４】従来の蓋材の断面説明図である。
【符号の説明】
２…後発泡紙  ４…遮光顔料層  ５…紙材料層、上質紙  ６…樹脂フィルム層
７…イージーピール層  ８…接着剤層、接着性樹脂層  ９…アルミニウム箔
２０…蓋材  ２１…つまみ  ２２…周辺部
３０…容器  ３１…フランジ
ａ…熱発泡性マイクロカプセル
【図１】
2005001704.tif 000003
【図２】
2005001704.tif 000004
【図３】
2005001704.tif 000005
【図４】
2005001704.tif 000006